(57)【要約】【課題】疑似餌本体の色合いや透明性を生かしやすく、海中での抵抗が小さくて動きやすく、加工性も良好な疑似餌を提供する。【解決手段】疑似餌本体にストッキング用生地を用いた外皮材が被覆されている。上記疑似餌本体はプラスチックにより透明若しくは半透明に形成されている。上記外皮材はストッキング用生地の模様が表れるように引き伸ばされた状態で疑似餌本体に被覆されている。上記疑似餌本体における反釣針固定側の端部に、疑似餌本体に被覆した外皮材を糸で固定するための細径棒状部が形成されている。【選択図】図１
2005278458.tif 000002
【特許請求の範囲】
【請求項１】
疑似餌本体と、上記疑似餌本体を被覆する外皮材とにより構成され、上記外皮材はストッキング用生地であることを特徴とする疑似餌。
【請求項２】
上記疑似餌本体がプラスチックにより透明若しくは半透明に形成されていることを特徴とする請求項１記載の疑似餌。
【請求項３】
上記外皮材は、ストッキング用生地の模様が表れるように引き伸ばされた状態で疑似餌本体に被覆されていることを特徴とする請求項１又は2記載の疑似餌。
【請求項４】
上記疑似餌本体における反釣針固定側の端部に、疑似餌本体に被覆した外皮材を糸で固定するための細径棒状部が形成されたことを特徴とする請求項１、２又は３記載の疑似餌。
【発明の詳細な説明】
【技術分野】
【０００１】
本考案は、イカ角等の釣用の疑似餌に関する。
【背景技術】
【０００２】
従来、疑似餌本体の外面部に布を被覆したり糸を巻き付けて、イカ等の魚に対するアピール度を高め、イカ等が食いつきやすくした疑似餌が存在する。
【０００３】
そして、従来の疑似餌本体に被覆される布や糸には、透明度の高い素材は柔軟性が乏しく加工性も劣るので、不透明な素材が用いられることが多かった。また、厚みや太さも大きく、吸水性も高い素材が用いられ、例えば綿やナイロンの布などが用いられていた。
【０００４】
しかしながら、不透明な素材で被覆したものは、疑似餌本体の色合いを生かすことが困難で、疑似餌本体の色と、それを被覆する布や糸の色を調整する必要があった。また、疑似餌本体のアピール度を高めるために、疑似餌本体の色を濃くする必要があった。
【０００５】
また、海水の色彩の濃度に対して、疑似餌自体に透明度を持たせ、疑似餌の色合いを使い分けると、魚の食いつきが良い場合があるが、不透明な布や糸で疑似餌本体を被覆すると、その疑似餌本体の透明性が生かされないという不具合があった。
【０００６】
また、吸水性の高い素材は、吸水により海中での比重が大きくなって、海中での抵抗が増大するので、浮力性能が低下するという不具合があった。
【０００７】
また、厚みの大きい素材は、海中での比重が低下すると共に、疑似餌本体に被覆して固定する加工性に劣るという不具合があった。
【０００８】
本出願人は上記の不具合を解消できる疑似餌について調査したが、関連する先行技術文献を見い出すことはできなかった。
【発明の開示】
【発明が解決しようとする課題】
【０００９】
そこで本発明は、疑似餌本体の色合いや透明性を生かしやすく、海中での比重や抵抗が小さくて動きやすく、加工性も良好な疑似餌の提供を課題とする。
【課題を解決するための手段】
【００１０】
上記課題を解決するために、請求項１記載の本発明に係る疑似餌は、疑似餌本体にストッキング用生地を用いた外皮材が被覆されていることを特徴とするものである。
【００１１】
即ち、請求項１記載の本発明に係る疑似餌にあっては、疑似餌本体と、上記疑似餌本体を被覆する外皮材とにより構成され、上記外皮材はストッキング用生地であることを特徴とする。
【００１２】
また、請求項２記載の本発明に係る疑似餌は、上記疑似餌本体がプラスチックにより透明若しくは半透明に形成されていることを特徴とする。
【００１３】
即ち、請求項２記載の本発明に係る疑似餌にあっては、実物の餌に用いられることの多い稚魚の体が透明若しくは半透明に近いことに鑑みて、それに似るように疑似餌本体を透明若しくは半透明のプラスチックにより形成したものである。
【００１４】
また、請求項３記載の本発明に係る疑似餌は、上記外皮材はストッキング用生地の模様が表れるように引き伸ばされた状態で疑似餌本体に被覆されていることを特徴とする。
【００１５】
即ち、請求項３記載の本発明に係る疑似餌にあっては、ストッキング用生地が有する模様を実物の餌の模様のように見せて、魚にアピールしようとするものである。
【００１６】
また、請求項４記載の本発明に係る疑似餌は、上記疑似餌本体における反釣針固定側の端部に、疑似餌本体に被覆した外皮材を糸で固定するための細径棒状部が形成されたことを特徴とする。
【００１７】
即ち、請求項４記載の本発明に係る疑似餌にあっては、疑似餌本体の上記細径棒状部において外皮材を糸で固定するように構成されている。
【発明の効果】
【００１８】
請求項１記載の本発明に係る疑似餌は、疑似餌本体に被覆されたストッキング用生地を用いた外皮材が伸縮性に富み、透明度に優れていることから、疑似餌本体の色合いや透明性を生かしやすくなる。
また、面倒な疑似餌本体の色合いと外皮材の色の調整が容易になると共に、疑似餌本体の色を濃くせずとも疑似餌本体自体のアピール度を高めることができる。
また、疑似餌本体の色と外皮材の色が混じり合った色合いを出すことができるので、外観を様々な色調にすることができる。
従って、本発明に係る疑似餌は、魚の食いつきが良好になって、釣果がアップする。
また、ストッキング用生地は撥水性にすぐれるので、海水を吸って比重が大きくなることがなく、海中での抵抗の増大を防ぎ、動き易さを阻害することがない。
また、ストッキング用生地は伸縮性に富み、薄いので、加工性にもすぐれ、容易に加工できて、製造コストを抑えることができる。
【００１９】
また、請求項２記載の本発明に係る疑似餌は、上記疑似餌本体がプラスチックにより透明若しくは半透明に形成されていることから、外皮材として使用したストッキング用生地の透明性が生かされる。
そして、実物の餌が稚魚である場合は透明若しくは半透明のものが多いので、擬似餌本体を透明若しくは半透明にすると、実物の稚魚の餌に間違いやすい。従って、魚の食い付きが良くなり、釣果を上げることができる。
また、外皮材に使用するストッキング用生地は伸縮性が良好なので、疑似餌本体に被覆しやすく加工性が良い。
【００２０】
また、請求項３記載の本発明に係る疑似餌は、上記外皮材がストッキング用生地の模様が表れるように引き伸ばされた状態で疑似餌本体に被覆されることから、疑似餌本体や外皮材に特に模様を付す必要がない。
そして、そのストッキング用生地の模様が実物の餌である魚の鱗等の模様に似ていることから、実物の餌と間違えられやすく、魚の食いつきが良くなって釣果がアップする。
【００２１】
また、請求項４記載の本発明に係る疑似餌は、上記疑似餌本体の反釣針固定側の端部に、疑似餌本体に被覆した外皮材を糸で固定するための細径棒状部が形成されたことから、外皮材を疑似餌本体の釣針固定側から被覆し、反釣針固定側の端部に設けられた上記細径棒状部においてその外皮材を糸で結び止めすることにより容易に固定することができるので、加工性が良好になって、製造が容易なため、コスト低減が可能となる。
【発明を実施するための最良の形態】
【００２２】
以下、図面に基づき本発明の実施の形態について説明する。
本実施形態に係る疑似餌１は、図１及び図２に示すように、疑似餌本体２に、ストッキング用生地４を用いた外皮材３が被覆されている。
また、上記疑似餌本体２は、プラスチックにより透明若しくは半透明に形成されている。
また、上記外皮材３は、図１に示すように、ストッキング用生地４の模様１４が表れるように引き伸ばされた状態で疑似餌本体２に被覆されている。
また、図３に示すように、上記疑似餌本体２における反釣針固定側の端部に、疑似餌本体２に被覆した外皮材３を糸で固定するための細径棒状部５が形成されている。
【実施例１】
【００２３】
以下、図示した本発明の実施例について説明する。
まず、本実施例に係る疑似餌１は、図１に示すように、イカ釣用のイカ角６に形成されている。
【００２４】
上記イカ角６は、図１に示すように、疑似餌本体２と、釣針７と、外皮材３とを有して構成されている。
【００２５】
上記疑似餌本体２は、図３に示すように、中央に紡錘状に形成された太径部８を有し、その太径部８の一端から軸方向に細径部９が延長するように設けられると共に、太径部８の他端にも反対方向へ伸びる細径棒状部５が設けられている。
【００２６】
なお、上記疑似餌本体２における中央の太径部８は、図２に示すように、中空に形成されている。
【００２７】
上記疑似餌本体２は着色透明なプラスチックにより形成されている。
【００２８】
上記疑似餌本体２には、図1及び図２に示すように、外皮材３が被覆されている。そして、この外皮材３には、透明性及び伸縮性にすぐれたストッキング用生地４が使用されている。
【００２９】
上記外皮材３は、図３に示すように、上記疑似餌本体２に対し、上記細径部9側から被覆される。そして、図１に示すように、疑似餌本体２の反対側の細径棒状部５において上記外皮材３は糸１０により結び止めされている。
【００３０】
なお、上記のように外皮材３であるストッキング用生地４を疑似餌本体２に被覆する場合は、ストッキング用生地４が引き伸ばされると共に、皺取りされた状態で被覆される。
【００３１】
上記のようにストッキング用生地４が引き伸ばされることにより、図１に示すように、外皮材３には魚の鱗に似た模様１４が出現している。
【００３２】
上記疑似餌本体２における上記細径棒状部５の先端部位は外皮材３から露出しており、同所には釣糸連結孔部１１と、釣糸結び止め用溝部１２が形成されている。
【００３３】
上記疑似餌本体２における細径部９の先端部には、図１に示すように、複数の釣針７が周方向に適宜な間隔で配置され、それら釣針７は糸１３により外皮材３の周りに結び止めされている。
【００３４】
疑似餌本体２が外皮材３により被覆されることにより、かつ、その外皮材３にストッキング用生地４が用いられることにより、疑似餌本体２だけでは表れることのない独特の模様や上記生地素材からの風合いを出すことができる。
また、ストッキング用生地４は透明性にすぐれ、特に引き伸ばされることにより透明度が増すので、内側に被覆された疑似餌本体２の色合いを生かしやすくなる。また、疑似餌本体２の色合いと外皮材３の色の調整が容易になると共に、疑似餌本体２の色を濃くせずとも、疑似餌本体２自体のアピール度を高めることができる。
また、上記疑似餌本体２の素材としてプラスチックを用いることにより成形が容易でコストを低減することができる、
また、疑似餌本体２が透明若しくは半透明に形成されたことにより、実物の餌である稚魚に似た外観になり、釣果がアップする。また、海水の透明度が高いときに、光の透過効果等により周囲の海水中に溶け込みやすくなり、実物の餌のように見える。
また、外皮材３を引き伸ばすことにより、ストッキング用生地４の模様１４が表れて、魚の鱗のように見えるので、外観が実物の餌にそっくりとなって、釣果がアップする。
また、上記疑似餌本体２における反釣針固定側の端部に形成された細径棒状部５に、疑似餌本体２に被覆した外皮材３を糸で結び止めしやすくなり、加工性が良好になる。
【産業上の利用可能性】
【００３５】
本発明は、イカ角に限らず、全ての疑似餌に適用可能である。
【図面の簡単な説明】
【００３６】
【図１】側面図である。
【図２】断面図である。
【図３】疑似餌本体に外皮材を被覆する前の状態を示す側面図である。
【符号の説明】
【００３７】
１    疑似餌
２    疑似餌本体
３    外皮材
４    ストッキング用生地
５    細径棒状部
６    イカ角
７    釣針
８    太径部
９    細径部
１０  糸
１１  釣糸連結孔部
１２  釣糸結び止め用溝部
１３  糸
１４  模様
【図１】
2005278458.tif 000003
【図２】
2005278458.tif 000004
【図３】
2005278458.tif 000005